(57)【要約】本発明はトイレで用いられているトイレットペーパー掛けに関するもので、トイレットペーパー掛けと一体化された 陰刻構造のホームや陽刻構造の突出部を利用して、スマートフォンの据置台、タブレットPCの据置台、雑誌の掲揚台、筆記具の据置台などの多機能はもちろん、新たな仕組みを装置してメモ用紙を収納する機能を追加で具現したものです。
2016504091.tif 000002
【特許請求の範囲】
【請求項１】
浴室の壁と結合されて、壁面を基準に前端と後端部をもつ付着区;
上記付着区に形成された少なくとも一つ以上の陰刻構造を持つホームや、陽刻構造の突出部;
を含むことを特徴とした多目的なトイレットペーパー掛け。
【請求項２】
浴室の壁と結合されて、壁面を基準に前端と後端部をもつ付着区;
上記付着区の後端部から始まり、壁面に伸びているカバー;
上記のカバーと、下方で対応する上記 付着区の両方に形成された少なくとも一つ以上の陰刻構造を持つホームや、陽刻構造の突出部;
を含むことを特徴とした多目的なトイレットペーパー掛け。
【請求項３】
壁面を基準に前端部と後端部をもつカバー;
トイレットペーパー掛け本体の内部空間左右上部に位置して上記のカバーが閉じる時荷重を支える固定部材;
上記カバーに統合された少なくとも一つ以上の陰刻構造を持つホームや、陽刻構造の突出部;
を含むことを特徴とした多目的なトイレットペーパー掛け。
【請求項４】
前方と後方に構成されており、二つが結合すれば、内部が空いている二重六面体または二重の円筒型の構造を形成し、上記後方は、壁面と結合されるカバー;
上記前方カバーに統合された少なくとも一つ以上の陰刻構造を持つホームや、陽刻構造の突出部;
を含むことを特徴とした多目的なトイレットペーパー掛け。
【請求項５】
第1項又は第2項において、壁と付着区を連結する万能ブルラケットをもっと含むことを特徴とした多目的なトイレットペーパー掛け。
【請求項６】
第1項において、付着区に挿入ホームが形成されたのを特徴とする多用途のトイレットペーパー掛け。
【請求項７】
第1項又は第2項において、付着区と垂直上方に一体化された左、右側面を持ったメモ用紙収納空間部が設置されたことを特徴とした多目的なトイレットペーパー掛け。
【請求項８】
第1項又は第2項において、付着区と水平に一体化された筆記具の立て区が形成されたことを特徴とする多用途のトイレットペーパー掛け。
【請求項９】
第1項又は第2項において、付着区前端部と一体化された雑誌の掲揚台が設置されたことを特徴とする多用途のトイレットペーパー掛け。
【請求項１０】
第7項において、メモ用紙収納空間部の左、右側面、あるいは両側ともに垂直に一体化された筆記具の立て棒が設置されたことを特徴とする多用途のトイレットペーパー掛け。
【請求項１１】
第3項において、本体外部の左側面、右側面、床面に個別的または組合せ的に一体化されたメモ用紙収納空間部を設置したことを特徴とした多目的なトイレットペーパー掛け。
【請求項１２】
第1項において、付着区の上部にホームの形で水平的に形成された筆記具の据置台を形成することを特徴とした多目的なトイレットペーパー掛け。
【請求項１３】
第1項ないし第3項のうち、ある一項において、ホームや突出部周囲にゴムコーティング剤や合成樹脂を付け加えて設置したことを特徴とした多目的なトイレットペーパー掛け。
【請求項１４】
第2項において、付着区とカバーに挿入ホームが形成されたのを特徴とする多用途のトイレットペーパー掛け
【請求項１５】
第2項又は第3項において、カバーの上部にホームの形で 水平的に形成された筆記具の据置台を形成することを特徴とした多目的なトイレットペーパー掛け。
【発明の詳細な説明】
【技術分野】
【０００１】
本発明は2台以上の、携帯電話はもちろん、タブレットPC、本、雑誌、筆記具を据え置きしたり、メモ用紙を収納する多目的機能を実現するため、従来のペーパーホルダーの形状をホームと、突出部を利用して変更したり、新しい構造を設置したペーパーホルダーに関することです。
【背景技術】
【０００２】
トイレットには通常のペーパーホルダーを備えて巻物の形のトイレットペーパーをかけて使用する。
ところが、従来のこのようなペーパーホルダーは雑誌の立て、スピーカー、充電器などの付加装置を備えたものがほとんどであり、携帯電話の据置台と組み合わさった形態は非常に少ない。
携帯電話の据置台と結合された一部のペーパーホルダーの場合はペーパーホルダーのカバー部分を平らにすることで、携帯電話をただ寝かせておくことができるようにしたものがあるのみや大衆化されることはできず、従来のスマートフォンやタブレットPCの装置は自動車用に限られただけだ。
【０００３】
この二つを最も適合するように結合するため、一部の会社では雑誌の立てと、抜差しできる平常式の携帯装置が別途には埋め立て型のペーパーホルダーセットを開発したが、これは左官やタイルの作業時に空輸がたくさん入って、製作単価も高く、タブレットPCを据え置きすることもできないことにデジタル時代に適合しなかった。
【発明の概要】
【発明が解決しようとする課題】
【０００４】
最近、IT機器の急速な発達によってスマートフォンやタブレットPCの大衆化が本格化されたことによって、トイレで携帯用IT機器で新聞を見たり、音楽を聞いたり、映画やドラマを鑑賞する世代が増えていくことにもかかわらず、トイレで別途の据え置き空間を確保することが困難であり、ポケットから取り出す際ミスで便器のに落としたり、浴室の床に落とす場合が発生することになって高価の携帯用IT機器を破壊する場合が発生している。もちろん、一部の老齢世代では紙の本や雑誌などを浴室で読む場合、据え置きにされる場所がなくて、床に置く場合もあり、また、トイレで、通話中、事業上重要な内容を書きとらなければならない必要性がある場合、または、忙しい出勤時間にトイレで電話待機中の充電を行う必要性がある場合、とても困惑したことがある。また、ペーパーホルダーを交替した場合、ブルラケットの穴間の長さが、会社ごとに少しずつ異なり、タイルに損傷を与える恐れもあるし、電動ドリルが家庭にない場合は、設備業者に設置要請をしなければならない不便さと経済的負担もある。
【０００５】
これに本発明は、このような問題点を解決するため、狭小なトイレ空間を最大限に効率的に利用し、すべての種類のスマートフォンやタブレットPC、本、雑誌などを据え置くことができる機能、筆記具を保管したり、メモ紙を収納できる機能、トイレに設置されたコンセントに充電器を連結して充電をすることができる機能、誰でも簡単にドライバーだけでペーパーホルダーを交代できる機能などを提供することにより、一つの製品を多目的で使用できる新しい形の多用途へのペーパーホルダーを提供することにある。
【課題を解決するための手段】
【０００６】
本発明は前述の目的を達成するために、
付着区やカバーに統合された少なくとも一つ以上の陰刻構造を持つホームや、陽刻構造の突出部、そして、選択的に、付着区またはカバーの上部にホームの形で水平的に形成された筆記具の据置台を形成し、付着区がいる実施例の場合は、付着区または、付着区とカバーに挿入ホームが形成、壁と付着区の連結点である汎用ブルラケットを含め、付着区と垂直上方に一体化された左・右側面を持ったメモ用紙収納空間部が設置されたことを、付着区がない実施例の場合は、本体外部または前方ふたの外部左側面、右側面、床面に個別的または組合せ的に一体化されたメモ用紙収納空間部を設置したことを特徴とした多目的なペーパーホルダーを提供する。
【発明の効果】
【０００７】
本発明によると、ペーパーホルダーと携帯電話の据置台、タブレットPCの据置台、雑誌の立て、筆記具の据置台やメモ用紙収納機能を最も単純な方法で具現するとともに付着区が存在するのペーパーホルダーの場合、汎用ブルラケットと挿入ホームの効率的な機能を利用することにより、今までの不便でぎこちないたトイレでの携帯用IT機器据え置き問題、雑誌の立て台の追加設置、トイレ内での緊急内容メモし困難、化粧室内での携帯電話充電の困難を一時に解決できる上、交代市設備業者の助けなしに個人がドライバーだけで簡単にできることにおり、日常生活に早速活用でき、即し産業化が可能なので、日常生活をもっと気楽にしてくれる、完全に新たな多用途ブックのペーパーホルダーが提供されるようになる。
【図面の簡単な説明】
【０００８】
【図１】図１はホームの断面図とホームの角度
【図２】図２は突出部形状の断面図
【図３】図３は本発明のこと実施例の全面の斜視図
【図４】図４は本発明のこと実施例後面の斜視図
【図５】図５はブルラケットの斜視図
【図６】図６は本発明の他の実施例の後面の斜視図
【図７】図７は本発明のもう一つの実施例の全面の斜視図
【図８】図８は本発明のこと実施例の全面の斜視図
【図９】図９は本発明のこと実施礼後面の斜視図
【図１０】図１０は本発明のこと実施例の側面の斜視図
【図１１】図１１は本発明のこと実施例の上面の斜視図
【図１２】図１２は本発明のこと実施例の全面の斜視図
【図１３】図１３は本発明の他の実施例の全面の斜視図
【図１４】図１４は本発明のこと実施例の全面の斜視図
【図１５】図１５は本発明のこと実施例の後面の斜視図
【発明を実施するための形態】
【０００９】
本発明による共通的な実現事項で、付着区(10)やカバー(30)の上の方に、多様な大きさのモニターのサイズを持ったタブレットPCと携帯電話はもちろん、本や雑誌、または選択的に筆記具などを、接している垂直面の浴室の壁を背面の支柱として、立てておくことができる、少なくとも一つ以上の陰刻(凹)構造を持つホーム(41)や、陽刻(凸)構造の突出部(42)(at least one of A or Bの表現でA、B、A+Bを含む。以後、文章にはこの表現だけを使用)や、またはホーム(41)と、突出部(42)すべてを形成した据え置き手段を持ったものを特徴とする多用途のペーパーホルダーが提供される。
【００１０】
図1における多様な例と一緒に、多様なホーム(41)らが実施されるが、形や大きさに関係なく、いかなる種類の携帯用IT機器、本、雑誌などを据え置きできるようにホーム(41)の形状は水平面を基準にホーム角度(4d)が0°ないし150°内で様々な形象で形成される。
また、突出部(42)の場合、図2での例のように、形や大きさに関係なく、いかなる種類の携帯用IT機器、本、雑誌などを据え置くことができる。
【００１１】
例えば、突出部(42)の形状は四角形、台形、三角形、卵形、多角形など制限もせずにいられおり、ホーム(41)と、突出部(42)すべてを形成して2台以上の携帯用IT機器や本、雑誌などを据え置きすることもできる。
また、ホーム(41)部位や突出部(42)の周りにゴムコーティング剤や合成樹脂などの滑り止め剤を加えて、設置することもできる。
選択的に、ペーパーホルダーに追加で図1で図示したホームを形成し、筆記具の据置台(71)の用途に使用されことができる。
【００１２】
以下ではペーパーホルダーの共通の実現事項を除き、個別的な実施例を説明する。
【００１３】
図3と図4は、付着区(10)があり、付着区にホーム(41)と、突出部(42)が形成された最も汎用性があること、実施例として、付着区(10)は壁面を基準に前端部と後端部を持ち、カバー(30)は付着区(10)の後端部に位置しており、カバー(30)も壁面を基準に前端部と後端部をもつ曲がった形だ。
カバー(30)の曲がったことは付着区(10)の後端部に位置したカバーの前端部から始まり、付着区の下の部分に位置したカバーの後端部まで下方に伸びている。
カバー(30)は浴室から水がトイレットペーパーに跳ね返りことを阻止することために用いられている。
カバー(30)の外側団の一部あるいは全部にコムジェや合成スジジェの保護具(36)をはめたり、蓋(30)をなくしてキッチンのキッチンタオル掛け用や水がじらす懸念がないの浴室用に使用することもできる。
【００１４】
本発明の一例として使われたブルラケット(11)はブロック(12)と木ねじ(13)と使用して付着区(10)を壁面に結合させる目的で使用されて、ブロック(12)がなくても付着区(10)を固定(付着を含む)させることもできて、付着区(10)が壁面と結合する方式には制限がない。
【００１５】
図5のとおり、ブルラケット(11)は従来の付着区があるペーパーホルダーも電動ドリルを使用せず、ひたすらドライバだけを利用して簡単に交代されれるように、木ねじやブロック(12)を挿入する空間を、通常の2つの固定された穴がなく一つの長い穴で作られた、上面が台形形状を持った六面体の、独創的な汎用構造になっている。
【００１６】
付着区(10)は付着区の後端部に位置した連接棒(50)を使用するかけ棒(21)を支える。かけ棒(21)は'コ'の字型にトイレットペーパーをかけるに、用いられている。
付着区(10)、かけ棒(21)、カバー(30)は連接棒(50)を中心に結合されている。
【００１７】
挿入・ホーム(43)はホーム(41)の下部の中間に位置した空いた空間に、浴室内のコンセントに充電器を差し込んでこの空間を通じて、どのような種類の携帯用IT機器の充電端子に接続できる。
【００１８】
付着区(10)と垂直上方に一体化された六面体の中心部分に細長い中空部を形成してメモ用紙を挿入、保管できる左・右側面を持った収納空間部(61)と、メモ用紙を簡単におろすため、収納空間部の前面に円形や多角形などの空いた空間の形で形成されたメモ用紙の引き出し誘導空(62)がある。
【００１９】
筆記具やレーザーポインターなどのような物品を据え置きできるように、上記収納空間部(61)の左・右側面あるいは両側ともに垂直に一体化されて空いた内部空間を持った多角面体、あるいは円筒柱形の筆記具立て棒(73)や、付着区(10)の前端上の方に図1で例示されたホームの形態として一体化されて形成された筆記具の据置台(71)や、付着区前端部と水平的に一体化され、側面に多角面体あるいは円柱型の空いた空間に形成された筆記具立て(72)を選択的に設置することができる。
【００２０】
最後に、体積が大きな雑誌、新聞、ノート型パソコン、冊子などを別途に据え置くことができる雑誌の掲揚台(80)が取り付け区の前端部に一体化されことができる。
【００２１】
図6は付着区(10)があり、付着区に突出部(42)で形成された他の実施例として、付着区(10)は壁面を基準に前端部と後端部を持っており、前端部と後端部の間で平面があり、突出部(42)は付着区の後端部に位置され、どのような種類の携帯用IT機器、雑誌、本などを据え置くことができる。カバー(30)は付着区の後端部に位置した連接棒(50)を通じて部着区と連結されている。
カバー(30)は部着区(10)の後端部に位置しており、カバーも壁面を基準に前端部と後端部をもつ曲がった形だ。
カバー(30)の曲がったことは部着区(10)の後端部に位置したカバーの前端部から始まり、付着区の底部に位置したカバーの後端部まで下方に伸びている。
カバー(30)は浴室から水がトイレットペーパーに跳ね返りことを阻止することために使用され、カバー(30)をなくしてキッチンのキッチンタオル掛け用や水がじらす懸念がないの浴室用に使用することもできる 
【００２２】
付着区(10)は付着区の後端部に位置した連接棒(50)を使用するかけ棒(21)を支える。
かけ棒(21)は'コ'の字型にトイレットペーパーをかけるに、用いられている。付着区(10)、かけ棒 (21)、カバー(30)は 連接棒(30)を通じて、結合されている。
【００２３】
図7は、付着区(10)があり、付着区にホーム(41)と、突出部(42)が形成された別の実施例として、付着区(10)は壁面を基準に前端部と後端部を持っており、カバー(30)もやはり壁面を基準に前端部と後端部を持った。
カバー(30)は付着区(10)の前端部から水平に伸ばしていたが、カバー(30)の後端部、若干曲がった形だ。カバー(30)の曲がったことはカバーの後端部付近から始まり、付着区(10)の下の部分に位置したカバー(30)の後端部まで下方に伸びている。
カバー(30)は浴室から水がトイレットペーパーに跳ね返りことを阻止することために用いられている。ブルラケット(11)はブロック(12)と木ねじ(13)と使用して付着区(10)を壁面に結合させる目的で使用されて、ブロック(12)がなくても付着区を結合させることもできる。
【００２４】
付着区(10)と垂直上方に一体化された六面体の中心部分に細長い中空部を形成してメモ用紙を挿入、保管できる左・右側面を持った収納空間部(61)と、メモ用紙を簡単におろすため、収納空間部の前面に円形や多角形などのメモ用紙の引き出し誘導空(62)がある。
【００２５】
筆記具やレーザーポインターなどのような物品を据え置きできるように、付着区(10)前端部と水平的に一体化され、側面にダガクミョンチェあるいは円柱型の空いた空間に形成された筆記具コッイク(72)を設置することができる。
【００２６】
図8や図11は、付着区(10)があり、付着区(10)とカバー(30)にホーム(41)と、突出部(42)が形成されたこと、実施例として、付着区(10)は壁面を基準に前端部と後端部を持っており、カバー(30)も壁面を基準に前端部と後端部をもつ曲がった形だ。
カバー(30)の曲がったことは付着区(10)の前端部に位置したカバーの前端部から始まり、付着区(10)の下の部分に位置したカバー(30)の後端部まで下方に伸びている。
カバー(30)は浴室から水がトイレットペーパーに跳ね返りことを阻止することために用いられている。カバーの外側団の一部あるいは全部にコム剤合成樹脂の保護具(36)をはめたり、付着区(10)はカバー(30)を支えるが、図10に現れているように、カバー(30)と形状が完全に一致しなくてもよい。
【００２７】
ブルラケット(11)はブロック(12)と木ねじ(13)と使用して付着区(10)を壁面に結合させる目的で使用されて、ブロック(12)がなくても付着区を結合させることもできる。
図5のとおり、ブルラケット(11)は従来の付着区があるペーパーホルダーも電動ドリルを使用せず、ひたすらドライバだけを利用して簡単に交代されれるように、木ねじやブロック(12)を挿入する空間を、通常の2つの固定された穴がなく一つの長い穴で作られた、上面が台形形状を持った六面体の、独創的な汎用構造になっている。
【００２８】
付着区(10)は付着区の中間部分に一体化されたかけ棒(21)を支える。かけ棒は'コ'の字型にトイレットペーパーをかけるに、用いられている。
【００２９】
挿入・ホーム(43)は、図11でもう少し明確に図示されているように、ホーム(41)の下部の中間とそこに接触された付着区部分二ヶ所ともに位置した空いた空間に、浴室内のコンセントに充電器を差し込んでこの空間を通じて、どのような種類の携帯用IT機器の充電端子に接続できる。付着区(10)と垂直上方に一体化された六面体の中心部分に細長い中空部を形成してメモ用紙を挿入、保管できる左・右側面を持った収納空間部(61)と、メモ用紙を簡単におろすため、収納空間部の前面に円形や多角形などのメモ用紙の引き出誘導(62)がある。
【００３０】
筆記具やレーザーポインターなどのような物品を据え置きできるように、上記収納空間部(61)の左・右側面あるいは両側ともに垂直に一体化された空の内部空間を持った多角面体あるいは円筒柱形の筆記具立て(73)や、付着部(10)の前端部上の方に図1で例示されたホームの形態として一体化されて形成された筆記具の据置台(71)や、付着部前端部と水平的に一体化され、側面に多角面体あるいは円柱型の空いた空間にを形成された筆記具立て(72)を選択的に設置することができる。
【００３１】
最後に、体積が大きな雑誌、新聞、ノート型パソコン、冊子などを別途に据え置くことができる雑誌の掲揚台(80)が部着部(10)の前端部に一体化されことができる。
【００３２】
図12と図13は、部着部(10)がなくカバー(30)にホーム(41)と、突出部(42)が形成されたこと、実施例として、内部が空いている六面体の構造を持ち、裏面はトイレットペーパー掛け本体を壁面と結合するのに使用されている。
【００３３】
つまり、本体はブロック(12)と木ねじ(13)を通じて壁面と結合されたり、ブロック(12)がなくても結合されことができる。かけ棒(21)はかけ棒の掛け(24)に掛けるようになる。もし図13のように掛けソケット(22)が設置されている場合は書け棒(21)は不要になる。
【００３４】
この場合はトイレットペーパーが空いている空間の下面を通じて直接掛けソケットに据え置きされている。かけ棒の掛け(24)と掛けソケット(22)は本体の内部空間の左・右側に位置されている。
【００３５】
カバー(30)はヒンジ(31)とピン(未図示)によって本体の裏面と連結されている。 カバー(30)は、本体の裏面を基準に前端部と後端部を持ち、本体の内部空間の中にトイレットペーパーを入れるためにヒンジ(31)を通じて開閉をできる。
カバー(30)は浴室から水がトイレットペーパーに跳ね返りことを阻止することために用いられている。また、トイレットペーパー掛けの内部空間の左右上部に位置して上記のカバーが閉じる時荷重を支える固定の部材が設置されている。
【００３６】
ホーム(41)と、突出部(42)はカバー(30)の前端と後端部の間に位置する。
本体外部の左側面、右側面、または床面にメモ紙を挿入して保管することができる収納空間部(61)と、メモ用紙を簡単におろすため、収納空間部の前面に円形や多角形などのメモ用紙の引き出し誘導空(62)がある。
【００３７】
最後に、筆記具やレーザーポインターなどのような物品を据え置きできるように、カバーの前端部上の方に図1で例示されたホームの形態として一体化されて形成された筆記具の据置台(71)が設置されている。
【００３８】
図14と図15は、付着区(10)がなくカバー(30)にホーム(41)と、突出部(42)が形成されたこと、実施例として、カバー（30)は前方と後方に構成されており、二つが結合すれば、内部が空いている二重六面体または二重の円筒型の構造を形成する。
カバー(30)は浴室から水がトイレットペーパーに跳ね返りことを阻止することために用いられている。 
【００３９】
前方カバーは、図14に図示されているが、符号がない鍵穴を基準に前端部と後端部を持つ。もっと具体的に、前方カバーの 前端部は鍵穴に最も近接した部分だ。 ホーム(41)と、突出部(42)は、前方カバーの上部に一体化されている。 ホームと、突出部はカバーの前端と後端部の中間部分に位置されている。
後方カバーの垂直面は本体を壁面と接続するのに用いられている。
本体はブロック(12)と木ねじ(13)を通じて壁面と結合されたり、ブロック(12)がなくても結合されことができる。
【００４０】
掛け型(23)は、主にジャンボトイレットペーパーを据え置くのに利用され、後方ふたの内部中央に形成されている。
メモ用紙収納空間部(61)は、前方カバーの外部左側面、あるいは右側面に垂直に、または外部床面に水平に個別的にまたは組合せ的に一体化されている。
また、メモ用紙を簡単におろすため、収納空間部の前面に円形や多角形などの空いた空間の形で形成されたメモ用紙の引き出し誘導空(62)がある。
最後に、筆記具やレーザーポインターなどのような物品を据え置きできるように、前方カバーの後端部上段の面に図1で例示されたホームの形態として一体化されて形成された筆記具の据置台(71)が設置されている。
【００４１】
以上の説明は本発明の技術思想を例示的に説明したものに過ぎなかったものとして、本発明が属する技術分野で通常の知識を持った者ならば本発明の本質的な特性から脱していない範囲で様々な修正および変形が可能だろう。したがって、本発明に掲示した実施例は本発明の技術思想を限定するためのものではなく、説明するためのものであり、これらの実施例によって本技術思想の範囲が限定されているのがない。
【符号の説明】
【００４２】
4d:  ホームの角度
10:  付着区
11:  ブルラケット
12:  ブロック
13:  木ねじ
21:  掛け棒
22:  掛けソケット
23:  掛け型
24:  掛け棒の掛
30:  カバー
31:  ヒンジ
33:  固定の部材
36:  保護区
41:  ホーム
42:  突出部
43:  挿入ホーム
50:  連接棒
61:  収納空間部
62:  引き出誘導空
71:  筆記具の据置台
72:  筆記具の立て区
73:  筆記具の立て棒
80:  雑誌差し
【図１】
2016504091.tif 000003
【図２】
2016504091.tif 000004
【図３】
2016504091.tif 000005
【図４】
2016504091.tif 000006
【図５】
2016504091.tif 000007
【図６】
2016504091.tif 000008
【図７】
2016504091.tif 000009
【図８】
2016504091.tif 000010
【図９】
2016504091.tif 000011
【図１０】
2016504091.tif 000012
【図１１】
2016504091.tif 000013
【図１２】
2016504091.tif 000014
【図１３】
2016504091.tif 000015
【図１４】
2016504091.tif 000016
【図１５】
2016504091.tif 000017
【国際調査報告】
2016504091.tif 000018
2016504091.tif 000019
2016504091.tif 000020
2016504091.tif 000021